(57)【特許請求の範囲】
【請求項１】
排尿を受けて排出する小便器であって、
この小便器が設置される壁面の壁受部に取り付けられる便器本体を有し、
この便器本体は、排尿を受けるボウル部と、このボウル部を正面側に形成する正面側壁部と、この正面側壁部の両側から背面側に向かって形成される側壁部と、この側壁部の後端部に形成される背面側壁部と、この背面側壁部に設けられて上記壁受部に取り付けられる背面側取付部と、上記正面側壁部の背面で且つ上記背面側取付部よりも上方で且つ上記背面側壁部より正面側に把持可能に設けられて上記小便器が設置された状態で隠蔽可能な把持部と、を備えていることを特徴とする小便器。
【請求項２】
更に、上記ボウル部内に洗浄水を吐水する吐水機能を備えた機能部を有し、上記便器本体は、更に、上記便器本体の上方領域の上記正面側壁部よりも背面側且つ上記側壁部の内側に設けられて上記機能部を収納する収納部と、この収納部の上方に着脱可能に取り付けられる蓋体と、を備え、上記把持部は、上記収納部に設けられている請求項１記載の小便器。
【請求項３】
上記機能部は、上記便器本体の正面側壁部の上方領域に前後方向に貫くように設けられて上記ボウル部内に洗浄水を吐水する吐水部を備え、上記把持部は、上記便器本体の正面側壁部の背面に沿って左右方向に延びるように形成され、上記吐水部の中心よりも上方に位置している請求項１記載の小便器。
【請求項４】
上記把持部は、上記蓋体が取り外された状態で上記吐水部の上方が開放されるように上記正面側壁部の背面に沿って上記便器本体の左右方向に間隔を置いて複数設けられている請求項３記載の小便器。
【請求項５】
上記複数の把持部は、平面視において上記便器本体の正面側壁部の背面の左右方向の中心に対して対称に配置されている請求項４記載の小便器。
【請求項６】
上記把持部の上端面と上記便器本体の側壁部の上端面は、上記蓋体が上方から着脱可能に取り付けられるような高さに位置し、上記把持部の上端面に取り付けられた状態の上記蓋体の上面は、上記正面側壁部の上端面とほぼ同じ高さとなる請求項２記載の小便器。
【請求項７】
上記収納部は、上記便器本体の背面側取付部よりも正面側且つ上方に位置する請求項２乃至６の何れか１項に記載の小便器。
【請求項８】
上記壁受部は、上記壁面から前方側且つ上方側にフック状に突出する突出部を備え、上記便器本体の背面側取付部は、上記背面側壁部の壁面から正面側且つ上方側に凹状に形成されて上記突出部が背面側且つ下方側から挿入されて嵌合可能な嵌合凹部を備えている請求項１乃至７の何れか１項に記載の小便器。
【請求項９】
上記把持部は、上記便器本体の表面を平滑にする表面処理がなされていない表面を備えている請求項１乃至８の何れか１項に記載の小便器。
【発明の詳細な説明】
【技術分野】
【０００１】
本発明は、小便器に係り、特に、排尿を受けて排出する小便器に関する。
【背景技術】
【０００２】
従来から、排尿を受けて排出する小便器として、例えば、特許文献１及び特許文献２に記載されているように、小便器が設置される壁面の壁受部に便器本体が取り付けられるものが知られている。
このような小便器においては、陶器製の便器本体の外観面となる表面全体に釉薬が塗布されることにより平滑な表面に処理されており、便器本体の表面に結露等が付着したままの状態になることを防ぐことができるようになっている。
また、このような従来の小便器においては、施工者が小便器を設置するために、設置される壁面付近まで便器本体を移動させる際に、便器本体が概ね人幅で縦長形状の比較的重量がある陶器製であることに加えて、便器本体の表面が釉薬による表面処理が施されていることにより非常に滑りやすいため、複数の作業者で便器本体の複数箇所を慎重に把持しながら、持ち上げた状態で設置される壁面付近まで移動させている。さらに、壁面付近に移動させた後の便器本体を壁面の壁受部に取り付ける際には、便器本体の位置を壁受部の位置に対して上下方向や左右方向に微調整する等して、互いの位置同士を合わせながら、取り付け作業が行われている。
【先行技術文献】
【特許文献】
【０００３】
【特許文献１】特開２００５−３２５５８９号公報
【特許文献２】特開２０１４−７０３７６号公報
【発明の概要】
【発明が解決しようとする課題】
【０００４】
しかしながら、上述した特許文献１に記載されている従来の小便器においては、施工者が小便器を設置する際に、便器本体が陶器製で比較的重量があり、表面が滑りやすく、外観も重視している構造であるため、便器本体には、施工者が把持する箇所も少なく、手を掛けたり把持したりして持ち運ぶための専用の手掛け部や把持用の手段も設けられておらず、施工のための持ち運びがし難いという問題がある。
また、上述した特許文献２に記載されている小便器においては、特許文献１に記載されている小便器よりもボウル面が緩やかな曲面構造となっているため、施工者が把持するのが非常に難しいという問題がある。
さらに、陶器製の便器本体に専用の手掛け部や把持用の手段について、便器本体の持ち運びがしやすい箇所に設けようとした場合には、小便器の美観性が損なわれる可能性があり、施工時の持ち運びのし易さと設置状態の美観性を両立させることが難しいという問題もある。
【０００５】
そこで、本発明は、上述した従来技術の問題を解決するためになされたものであり、施工時に容易に持ち運ぶことができると共に、設置状態の美観性を確保することができる小便器を提供することを目的としている。
【課題を解決するための手段】
【０００６】
上記の目的を達成するために、本発明は、排尿を受けて排出する小便器であって、この小便器が設置される壁面の壁受部に取り付けられる便器本体を有し、この便器本体は、排尿を受けるボウル部と、このボウル部を正面側に形成する正面側壁部と、この正面側壁部の両側から背面側に向かって形成される側壁部と、この側壁部の後端部に形成される背面側壁部と、この背面側壁部に設けられて上記壁受部に取り付けられる背面側取付部と、上記正面側壁部の背面で且つ上記背面側取付部よりも上方で且つ上記背面側壁部より正面側に把持可能に設けられて上記小便器が設置された状態で隠蔽可能な把持部と、を備えていることを特徴としている。
このように構成された本発明においては、小便器が設置される壁面の壁受部に便器本体を取り付ける際に、把持部が便器本体の正面側壁部の背面で且つ背面側取付部よりも上方で且つ背面側壁部より正面側に設けられているため、把持部を簡単且つ確実に把持することができる。
また、便器本体全体を壁面に接近させるまで安定して移動させることができるため、容易に持ち運びをすることができ、より少ない労力で小便器を設置することができる。
そして、把持部を把持して便器本体の背面側壁部を壁面に接近させた状態では、把持部が背面側取付部よりも上方で且つ背面側壁部より正面側に設けられているため、便器本体の背面側取付部と壁受部との互いの位置を上方から容易に確認することができ、便器本体の位置を調整しながら、背面側取付部と壁受部との互いの位置合わせを簡単に行うことができる。
また、便器本体の背面側取付部と壁受部との互いの位置合わせの後、便器本体を下降させるだけで、便器本体の背面側取付部を壁受部に係合させて容易に取り付けることができるため、便器本体の背面側取付部を壁受部に簡単且つ確実に取り付けることができる。
さらに、小便器が壁面に設置された状態では、便器本体の把持部が便器本体の外部から隠蔽されている状態となるため、小便器の美観性が損なわれることを防ぐこともできる。
これらの結果、施工時に容易に持ち運ぶことができると共に、設置状態の美観性を確保することができる小便器を提供することができる。
また、把持部が便器本体の正面側壁部の背面に設けられているため、小便器が設置される壁面の壁受部に便器本体を取り付ける際に、便器本体の正面側壁部付近から把持部を容易に把持することができる。したがって、把持部を把持した状態で便器本体全体を壁面に安定して移動させて、便器本体の背面側取付部を壁受部に簡単且つ確実に取り付けることができ、小便器を壁面に簡単に設置することができる。
さらに、把持部が便器本体の正面側壁部の背面に設けられているため、小便器が壁面に設置された状態では、便器本体の外部から隠蔽されている状態となり、小便器の美観性が損なわれることを防ぐこともできる。これらの結果、施工時に容易に持ち運ぶことができると共に、設置状態の美観性を確保することができる小便器を提供することができる。
【０００７】
本発明において、好ましくは、更に、上記ボウル部内に洗浄水を吐水する吐水機能を備えた機能部を有し、上記便器本体は、更に、上記便器本体の上方領域の上記正面側壁部よりも背面側且つ上記側壁部の内側に設けられて上記機能部を収納する収納部と、この収納部の上方に着脱可能に取り付けられる蓋体と、を備え、上記把持部は、上記収納部に設けられている。
このように構成された発明においては、小便器がボウル部内に洗浄水を吐水する吐水機能を備えた機能部を有し、便器本体が、更に、便器本体の上方領域の正面側壁部よりも背面側且つ側壁部の内側に設けられて機能部を収納する収納部と、この収納部の上方に着脱可能に取り付けられる蓋体を備えており、把持部が収納部に設けられていることにより、小便器が設置される壁面の壁受部に便器本体を取り付ける際に、蓋体を取り外すだけで、把持部を簡単且つ確実に把持することができる。したがって、把持部を把持した状態で便器本体全体を壁面に安定して移動させて、便器本体の背面側取付部を壁受部に簡単且つ確実に取り付けることができ、小便器を壁面に簡単に設置することができる。さらに、小便器が壁面に設置された状態では、蓋体を収納部の上方に取り付けるだけで、把持部が便器本体の外部から隠蔽されている状態となるため、小便器の美観性が損なわれることを防ぐこともできる。これらの結果、施工時に容易に持ち運ぶことができると共に、設置状態の美観性を確保することができる小便器を提供することができる。
【０００９】
本発明において、好ましくは、上記機能部は、上記便器本体の正面側壁部の上方領域に前後方向に貫くように設けられて上記ボウル部内に洗浄水を吐水する吐水部を備え、上記把持部は、上記便器本体の正面側壁部の背面に沿って左右方向に延びるように形成され、上記吐水部の中心よりも上方に位置している。
このように構成された発明においては、機能部が、便器本体の正面側壁部の上方領域に前後方向に貫くように設けられてボウル部内に洗浄水を吐水する吐水部を備えており、把持部が、便器本体の正面側壁部の背面に沿って左右方向に延びるように形成され、吐水部の中心よりも上方に位置していることにより、小便器が設置される壁面の壁受部に便器本体を取り付ける際に、便器本体の正面側壁部の上方付近から把持部を容易に把持することができる。また、把持部が便器本体の正面側壁部の背面に沿って左右方向に延びるように形成され、吐水部の中心よりも上方に位置していることにより、把持部を把持する際に、機能部の吐水部と把持部とが互いに干渉して把持の妨げになることを防ぐことができるため、把持部を把持しやすくすることができる。したがって、把持部を把持した状態では、便器本体を左右方向に安定して把持しながら、壁面に移動させることができるため、便器本体の取り付け作業を安定して確実に行うことができる。これらの結果、施工時に容易に持ち運ぶことができると共に、設置状態の美観性を確保することができる小便器を提供することができる。
【００１０】
本発明において、好ましくは、上記把持部は、上記蓋体が取り外された状態で上記吐水部の上方が開放されるように上記正面側壁部の背面に沿って上記便器本体の左右方向に間隔を置いて複数設けられている。
このように構成された発明においては、把持部について、蓋体が取り外された状態で吐水部の上方が開放されるように便器本体の正面側壁部の背面に沿って便器本体の左右方向に間隔を置いて複数設けられていることにより、把持部を把持する際に、機能部の吐水部と把持部とが互いに干渉して把持の妨げになることをより確実に防ぐことができるため、把持部を把持しやすくすることができる。したがって、把持部を把持した状態では、便器本体を左右方向に安定して把持しながら、壁面に移動させることができるため、便器本体の取り付け作業を安定して確実に行うことができる。これらの結果、施工時に容易に持ち運ぶことができると共に、設置状態の美観性を確保することができる小便器を提供することができる。
【００１１】
本発明において、好ましくは、上記複数の把持部は、平面視において上記便器本体の正面側壁部の背面の左右方向の中心に対して対称に配置されている。
このように構成された発明においては、複数の把持部が平面視において便器本体の正面側壁部の背面の左右方向の中心に対して対称に配置されていることにより、小便器が設置される壁面の壁受部に便器本体を取り付ける際に、便器本体の左右の複数の把持部を把持する把持力を各把持部に分散させて安定して把持することができる。したがって、各把持部を把持した状態では、便器本体を安定して移動させることができるため、便器本体の取り付け作業を安定して確実に行うことができる。これらの結果、施工時に容易に持ち運ぶことができると共に、設置状態の美観性を確保することができる小便器を提供することができる。
【００１２】
本発明において、好ましくは、上記把持部の上端面と上記便器本体の側壁部の上端面は、上記蓋体が上方から着脱可能に取り付けられるような高さに位置し、上記把持部の上端面に取り付けられた状態の上記蓋体の上面は、上記正面側壁部の上端面とほぼ同じ高さとなる。
このように構成された発明においては、把持部の上端面と便器本体の側壁部の上端面について、蓋体が上方から着脱可能に取り付けられるような高さに位置しているため、小便器が設置される壁面の壁受部に便器本体を取り付ける際に、蓋体を取り外すだけで、把持部を簡単且つ確実に把持することができる。したがって、把持部を把持した状態で便器本体全体を壁面に安定して移動させて、便器本体の背面側取付部を壁受部に簡単且つ確実に取り付けることができ、小便器を壁面に簡単に設置することができる。また、小便器が壁面に設置された状態では、把持部と便器本体の側壁部のそれぞれの上端面に蓋体を安定して取り付けることができ、把持部を蓋体によって便器本体の外部から隠蔽することができる。さらに、蓋体を把持部と便器本体の側壁部のそれぞれの上端面に取り付けた状態では、蓋体の上面が便器本体の正面側壁部の上端面とほぼ同じ高さとなるため、小便器の美観性が損なわれることを防ぐこともできる。これらの結果、施工時に容易に持ち運ぶことができると共に、設置状態の美観性を確保することができる小便器を提供することができる。
【００１３】
本発明において、好ましくは、上記収納部は、上記便器本体の背面側取付部よりも正面側且つ上方に位置する。
このように構成された発明においては、収納部が便器本体の背面側取付部よりも正面側且つ上方に位置しているため、便器本体の背面側取付部が壁受部に取り付けられて小便器が壁面に設置された状態であっても、蓋体を取り外した状態では、便器本体の正面側且つ上方から収納部内の機能部に容易にアクセスすることができ、機能部のメンテナンス作業等を容易に行うこともできる。
【００１４】
本発明において、好ましくは、上記壁受部は、上記壁面から前方側且つ上方側にフック状に突出する突出部を備え、上記便器本体の背面側取付部は、上記背面側壁部の壁面から正面側且つ上方側に凹状に形成されて上記突出部が背面側且つ下方側から挿入されて嵌合可能な嵌合凹部を備えている。
このように構成された発明においては、小便器が設置される壁面の壁受部が、その壁面から前方側且つ上方側にフック状に突出する突出部を備えているため、小便器が設置される壁面の壁受部に便器本体を取り付ける際に、把持部を把持した状態で、壁受部の突出部の位置を上方から容易に確認することができる。また、把持部を把持しながら、便器本体の位置を調整することにより、先に確認した壁受部の突出部の位置に便器本体の背面側取付部の嵌合凹部の位置を調整して、容易に位置合わせをすることができる。さらに、壁受部の突出部の位置と便器本体の背面側取付部の嵌合凹部の位置を合わせた状態では、便器本体を下降させるだけで、便器本体の背面側取付部の嵌合凹部に、壁受部の突出部が背面側且つ下方側から挿入され、嵌合凹部と突出部とが互いに嵌合することができるため、便器本体の背面側取付部の嵌合凹部を壁受部の突出部に係合させて容易に引っ掛けることができ、便器本体の背面側取付部を壁受部に簡単且つ確実に取り付けることができる。また、便器本体の背面側取付部の嵌合凹部を壁受部の突出部に引っ掛けた後、把持部の把持を解除すると、便器本体の自重で便器本体の背面側取付部の嵌合凹部と壁受部の突出部との互いの嵌合が強化されるため、便器本体を壁面に確実に固定することができ、小便器を壁面に簡単に設置することができる。これらの結果、施工時に容易に持ち運ぶことができると共に、設置状態の美観性を確保することができる小便器を提供することができる。
【００１５】
本発明において、好ましくは、上記把持部は、上記便器本体の表面を平滑にする表面処理がなされていない表面を備えている。
このように構成された発明においては、把持部が便器本体の表面を平滑にする表面処理がなされていない表面を備えていることにより、把持部を把持した部分に適度な摩擦力が作用するため、把持部を把持しやすくすることができる。したがって、把持部を把持した状態では、便器本体を安定して移動させることができ、便器本体の取り付け作業を安定して確実に行うことができる。これらの結果、施工時に容易に持ち運ぶことができると共に、設置状態の美観性を確保することができる小便器を提供することができる。
【発明の効果】
【００１６】
本発明の小便器によれば、施工時に容易に持ち運ぶことができると共に、設置状態の美観性を確保することができる。
【図面の簡単な説明】
【００１７】
【図１】本発明の一実施形態による小便器を示す正面図である。
【図２】図１のＩＩ−ＩＩ線に沿って見た本発明の一実施形態による小便器の便器本体の側面断面図である。
【図３】本発明の一実施形態による小便器を示す背面図である。
【図４】本発明の一実施形態による小便器を示す平面図である。
【図５】本発明の一実施形態による小便器の便器本体に内蔵されている自動洗浄ユニットについて上蓋を取り外した状態で斜め後方から見た斜視図である。
【図６】本発明の一実施形態による小便器の便器本体における背面側取付部、及び、この背面側取付部が取り付けられる壁面の壁受部を示す部分拡大断面図である。
【発明を実施するための形態】
【００１８】
以下、図１〜図５を参照して、本発明の一実施形態による小便器について説明する。
まず、図１〜図４により、本発明の一実施形態による小便器の基本構造について説明する。
図１は、本発明の一実施形態による小便器を示す正面図であり、図２は、図１のＩＩ−ＩＩ線に沿って見た本発明の一実施形態による小便器の便器本体の側面断面図である。
また、図３は、本発明の一実施形態による小便器を示す背面図であり、図４は、本発明の一実施形態による小便器を示す平面図である。
【００１９】
図１〜図４に示すように、符号１は、本発明の一実施形態による小便器を示し、この小便器１は、背後の壁面Ｗの壁受部Ｐに取付けられる壁掛け式の小便器であり、陶器製の便器本体２を備えており、この便器本体２は、その背後の壁面Ｗの壁受部Ｐに取付けられた状態で便器本体２の最下部が床面Ｆよりも上方に位置している。
また、小便器１は、便器本体２を洗浄するための洗浄水を吐水する吐水機能を備えた機能部である自動洗浄ユニット４を備えている。
なお、本実施形態の小便器１については、便器本体２の最下部が床面Ｆよりも上方に位置するように背後の壁面Ｗの壁受部Ｐに取付けられる壁掛け式の小便器の例について説明するが、便器本体２の最下部が床面上に直接配置される床置き式の小便器であってもよい。
【００２０】
つぎに、図２に示すように、便器本体２は、正面側に形成されるボウル部６と、このボウル部６の底部に形成された排水口部８を備えている。この排水口部８の下方には、排水口８ａが形成されている。
また、図２〜図４に示すように、ボウル部６は、その上端から下部に亘って下方ほど内側且つ奥行側（後方側）に位置するボウル面６ａを形成している。そして、このボウル面６ａの上下方向の中央付近から下方に形成されるボウル面下部６ｂは、後方側に向かって緩やかに湾曲状に張り出すような湾曲面を形成し、その下方且つ前方側の排水口部８まで延びた後、この排水口部８から排水口８ａに向かって緩やかな下り傾斜するように形成している。このようなボウル面下部６ｂにより、ボウル部６内の奥行空間が後方側に奥まっており、前後方向に広くなっている。そして、ボウル部６は、正面側壁部７の上端面７ｂからボウル面下部６ｂの上方のボウル面６ａを経てボウル面下部６ｂに亘って連続した曲面形状となっている。
さらに、便器本体２のボウル部６のボウル面６ａを正面側に形成する正面側壁部７の背面側且つ上方には、自動洗浄ユニット４が収納される収納室Ｃが形成されている。この収納室Ｃの上方には、上蓋１０が便器本体２に対して上方から着脱可能に取り付けられている。
【００２１】
つぎに、便器本体２は、排水口８ａの下方に設けられた排水トラップ部１２と、排水口８ａに上方から取り付けられてボウル部６内と排水トラップ部１２内とを連通させる目皿１３を備えており、この排水トラップ部１２は、排水口８ａよりも下方（下流側）に溜水ｗ０を貯留して封水を形成するようになっている。
また、図２に示すように、排水トラップ部１２は、上端に位置する排水口８ａから下方に延びる下降管路１２ａと、この下降管路１２ａの下端から後方側に湾曲するように形成された後、その後上方に向かって湾曲するように形成される横引き管路１２ｂと、この横引き管路１２ｂの上端から後方側の斜め上方に延びるように形成された上昇管路１２ｃを備えている。
さらに、図２及び図３に示すように、便器本体２は、排水トラップ部１２の上昇管路１２ｃの後方側（下流側）に設けられ且つその後端（下流側端部）が排水ソケット１４を介して便器本体２の外部の排水配管１６に接続される接続部１８を備えている。
なお、本実施形態では、排水ソケット１４については省略し、接続部１８の後端と排水配管１６とを直接的に接続するようにしてもよい。
【００２２】
つぎに、図５は、本発明の一実施形態による小便器の便器本体に内蔵されている自動洗浄ユニットについて上蓋を取り外した状態で斜め後方から見た斜視図である。
図２〜図５に示すように、自動洗浄ユニット４は、水道等の給水源から洗浄水を供給する給水管２０と、この給水管２０を止水する止水栓２２と、給水管２０を開閉する給水バルブ２４を備えている。
【００２３】
また、自動洗浄ユニット４は、給水バルブ２４の下流側の給水管２０の先端部２０ａに取り付けられたスプレッダ２６と、このスプレッダ２６の近傍に設けられて使用者の有無を検知する人体検知センサ２８と、この人体検知センサ２８からの検知信号や所定の制御プログラム等に基づいて給水バルブ２４の動作等を制御するコントローラ３０を備えている。
このような自動洗浄ユニット４により、人体検知センサ２８が使用者を検知すると、この検知した信号がコントローラ３０に送信され、この検知信号を受信したコントローラ３０が制御プログラムに基づいて給水バルブ２４の開閉動作を制御し、スプレッダ２６からボウル部６内への吐止水が制御されるようになっている。
【００２４】
つぎに、図２〜図５に示すように、便器本体２は、正面側壁部７の左右両側から背面側に向かって形成される側壁部３２，３４と、これらの側壁部３２，３４の後端に形成される背面側壁部３６と、この背面側壁部３６に設けられて壁面Ｗの壁受部Ｐに引っ掛けられて取り付けられる左右一対の背面側取付部３８，４０と、正面側壁部７よりも背面側で且つ背面側取付部３８よりも上方に把持可能に設けられると共に小便器１が設置された状態で上蓋１０により隠蔽可能な一対の把持部４２，４４を備えている。
また、図２及び図４に示すように、これらの把持部４２，４４は、便器本体２の重心に対して鉛直方向に延びる軸線Ａの後方側近傍に位置しており、これらの把持部４２，４４を把持した状態であっても、便器本体２が安定した姿勢になるようになっている。
なお、本実施形態においては、施工者が小便器１を壁面Ｗに設置する際に、各把持部４２，４４に手を掛けて把持する施工用の手掛け部として使用する場合について説明するが、このような場合に限られず、人以外の装置が各把持部４２，４４を機械的に把持して使用するような場合についても適用可能である。
【００２５】
また、図２〜図５に示すように、自動洗浄ユニット４を収納している収納室Ｃは、便器本体２の上方領域の正面側壁部７よりも背面側且つ側壁部３２，４３の内側に設けられ、便器本体２の背面側取付部３８，４０よりも正面側且つ上方に位置している。そして、各把持部４２，４４は、この収納室Ｃ内における便器本体２の正面側壁部７の背面７ａに設けられている。
【００２６】
さらに、図１〜図５に示すように、自動洗浄ユニット４のスプレッダ２６は、便器本体２の正面側壁部７の上方領域に前後方向に貫くように設けられ、ボウル部６内に洗浄水を吐水する吐水部として機能し、各把持部４２，４４は、便器本体２の正面側壁部７の背面７ａに沿って左右方向に延びるように形成され、スプレッダ２６の中心Ｏよりも上方に位置している。
また、各把持部４２，４４は、上蓋１０が取り外された状態でスプレッダ２６の上方が開放されるように便器本体２の正面側壁部７の背面７ａに沿って便器本体２の左右方向に互いに間隔Ｓを置いて設けられていると共に、平面視において、便器本体２の正面側壁部７の背面７ａの左右方向の中心に対して対称に配置されている。
なお、本実施形態では、便器本体２の正面側壁部７の背面７ａに左右一対の把持部４２，４４を設けた形態について説明するが、このような形態に限られず、把持部がスプレッダ２６等の自動洗浄ユニット４の部分と干渉しないような配置であれば、便器本体２の正面側壁部７の背面７ａに沿って左右方向に延びるように形成された単一の把持部を設けてもよいし、３つ以上の複数の把持部を左右方向に間隔を置いて設けてもよい。
【００２７】
また、便器本体２の表面全体については、釉薬が塗布されることにより平滑な表面になるような表面処理がされており、便器本体２の表面に結露等が付着したままの状態になることを防ぐことができるようになっているが、各把持部４２，４４の表面については、このような表面処理がなされておらず、各把持部４２，４４を把持した際に、これらの把持部分に適度な摩擦力が作用するようになっている。
【００２８】
さらに、図１〜図５に示すように、各把持部４２，４４の上端面４２ａ，４４ａと便器本体２の各側壁部３２，３４の各上端面３２ａ，３４ａは、上蓋１０が上方から着脱可能に取り付けられるような高さに位置し、互いに面一となっており、これらの上端面３２ａ，３４ａ，４２ａ，４４ａに上蓋１０を取り付けられた状態では、上蓋１０の上面１０ａが便器本体２の正面側壁部７の上端面７ｂとほぼ同じ高さとなるようになっている。
【００２９】
つぎに、図６は、本発明の一実施形態による小便器の便器本体における背面側取付部、及び、この背面側取付部が取り付けられる壁面の壁受部を示す部分拡大断面図である。
図２、図３及び図６に示すように、壁受部Ｐは、壁面Ｗから前方側且つ上方側にフック状に突出する突出部である左右一対のバックハンガー４６を備えており、便器本体２の一対の背面側取付部３８，４０は、背面側壁部３６の背面３６ａから正面側且つ上方側に凹状に形成された嵌合凹部３８ａ，４０ａを備えており、各嵌合凹部３８ａ，４０ａは、前後方向に対向するバックハンガー４６が背面側且つ下方側から挿入されて嵌合可能となっている。
なお、本実施形態では、壁受部Ｐの一対のバックハンガー４６を凸側とし、便器本体２の一対の背面側取付部３８，４０の凹側とした形態について説明するが、このような形態に限られず、互いの凸側と凹側とを入れ換えてもよく、例えば、便器本体２の背面側壁部３６の背面３６ａから後方側且つ下方側にフック状に突出するバックハンガーを設けると共に、壁受部Ｐの壁面Ｗに便器本体のバックハンガーが挿入されて嵌合可能な嵌合凹部を設けてもよい。
また、壁受部Ｐの一対のバックハンガー４６の代わりに一対の凸状の突起を設けて雄側取付部とすると共に、便器本体２の一対の背面側取付部３８，４０に、これらの凸状の突起を差し込み可能な取付穴を設けて雌側取付部としてもよい。さらに、これらの壁受部Ｐと便器本体の背面側取付部において、雄側取付部と雌側取付部を互いに入れ換えてもよい。
【００３０】
つぎに、図１〜図６により、本発明の一実施形態による小便器の作用及び効果について説明する。
まず、上述した本発明の一実施形態による小便器１によれば、この小便器１が設置される壁面Ｗの壁受部Ｐに便器本体２を取り付ける際に、各把持部４２，４４が便器本体２の正面側壁部７よりも背面側で且つ背面側取付部３８，４０よりも上方に設けられているため、各把持部４２，４４を簡単且つ確実に把持することができる。
また、各把持部４２，４４が、便器本体２の重心に対して鉛直方向に延びる軸線Ａの後方側近傍に位置しており、これらの把持部４２，４４を把持した状態であっても、便器本体２が安定した姿勢となり、便器本体２の全体を壁面Ｗに接近させるまで安定して移動させることができるため、容易に持ち運びをすることができ、より少ない労力で小便器１を設置することができる。そして、各把持部４２，４４を把持して便器本体２の背面側壁部３６を壁面Ｗに接近させた状態では、各把持部４２，４４が背面側取付部３８，４０よりも上方に設けられているため、便器本体４２の背面側取付部３８，４０と壁受部Ｐのバックハンガー４６との互いの位置を上方から容易に確認することができ、便器本体２の位置を調整しながら、背面側取付部３８，４０と壁受部Ｐのバックハンガー４６との互いの位置合わせを簡単に行うことができる。
さらに、便器本体２の背面側取付部３８，４０と壁受部Ｐのバックハンガー４６との互いの位置合わせの後、便器本体２を下降させるだけで、背面側取付部３８，４０と壁受部Ｐのバックハンガー４６に係合させて容易に引っ掛けることができるため、便器本体２の背面側取付部３８，４０を壁受部Ｐのバックハンガー４６に簡単且つ確実に取り付けることができる。
また、便器本体２の背面側取付部３８，４０を壁受部Ｐのバックハンガー４６に取り付けた後、各把持部４２，４４の把持を解除すると、陶器製の便器本体２の自重で便器本体２の各背面側取付部３８，４０と壁受部Ｐの各バックハンガー４６との互いの係合が強化されるため、便器本体２を壁面Ｗに確実に固定することができ、小便器１を壁面Ｗに簡単に設置することができる。
さらに、小便器１が壁面Ｗに設置された状態では、便器本体２の各把持部４２，４４が便器本体２の外部から隠蔽されている状態となるため、小便器１の美観性が損なわれることを防ぐこともできる。
これらの結果、施工時に容易に持ち運ぶことができると共に、設置状態の美観性を確保することができる小便器１を提供することができる。
【００３１】
また、本実施形態による小便器１によれば、この小便器１が、便器本体２のボウル部６内に洗浄水を吐水する吐水機能を備えた機能部である自動洗浄ユニット４を有し、便器本体２が、更に、便器本体２の上方領域の正面側壁部７よりも背面側且つ側壁部３２，３４の内側に設けられて自動洗浄ユニット４を収納する収納室Ｃと、この収納室Ｃの上方に着脱可能に取り付けられる上蓋１０を備えており、各把持部４２，４４が収納室Ｃに設けられていることにより、小便器１が設置される壁面Ｗの壁受部Ｐに便器本体２を取り付ける際に、上蓋１０を取り外すだけで、各把持部４２，４４を簡単且つ確実に把持することができる。
したがって、各把持部４２，４４を把持した状態で便器本体２の全体を壁面Ｗに安定して移動させて、便器本体２の各背面側取付部３８，４０を前後方向に対向する壁受部Ｐのバックハンガー４６に簡単且つ確実に取り付けることができ、小便器１を壁面Ｗに簡単に設置することができる。
さらに、小便器１が壁面Ｗに設置された状態では、上蓋１０を収納室Ｃの上方に取り付けるだけで、各把持部４２，４４が便器本体２の外部から隠蔽されている状態となるため、小便器１の美観性が損なわれることを防ぐこともできる。
これらの結果、施工時に容易に持ち運ぶことができると共に、設置状態の美観性を確保することができる小便器１を提供することができる。
【００３２】
さらに、本実施形態による小便器１によれば、各把持部４２，４４が便器本体２の正面側壁部７の背面７ａに設けられているため、小便器１が設置される壁面Ｗの壁受部Ｐに便器本体２を取り付ける際に、便器本体２の正面側壁部７付近から各把持部４２，４４を容易に把持することができる。
したがって、各把持部４２，４４を把持した状態で便器本体２の全体を壁面Ｗに安定して移動させて、便器本体２の各背面側取付部３８，４０を壁受部Ｐの各バックハンガー４６に簡単且つ確実に取り付けることができ、小便器１を壁面Ｗに簡単に設置することができる。
さらに、各把持部４２，４４が便器本体２の正面側壁部７の背面７ａに設けられているため、小便器１が壁面Ｗに設置された状態では、便器本体２の外部から隠蔽されている状態となり、小便器１の美観性が損なわれることを防ぐこともできる。
これらの結果、施工時に容易に持ち運ぶことができると共に、設置状態の美観性を確保することができる小便器１を提供することができる。
【００３３】
また、本実施形態による小便器１によれば、各把持部４２，４４が、便器本体２の表面を平滑にする表面処理がなされていない表面を備えていることにより、各把持部４２，４４を把持した部分に適度な摩擦力が作用するため、各把持部４２，４４を把持しやすくすることができる。
したがって、各把持部４２，４４を把持した状態では、便器本体２を安定して移動させることができ、便器本体２の取り付け作業を安定して確実に行うことができる。
これらの結果、施工時に容易に持ち運ぶことができると共に、設置状態の美観性を確保することができる小便器を提供することができる。
【００３４】
さらに、本実施形態による小便器１によれば、自動洗浄ユニット４が、便器本体２の正面側壁部７の上方領域に前後方向に貫くように設けられてボウル部６内に洗浄水を吐水するスプレッダ２６を備えており、各把持部４２，４４が、便器本体２の正面側壁部７の背面７ａに沿って左右方向に延びるように形成されスプレッダ２６の中心Ｏよりも上方に位置していることにより、小便器１が設置される壁面Ｗの壁受部Ｐに便器本体２を取り付ける際に、便器本体２の正面側壁部７の上方付近から各把持部４２，４４を容易に把持することができる。
また、各把持部４２，４４が便器本体２の正面側壁部７の背面７ａに沿って左右方向に延びるように形成され、スプレッダ２６の中心Ｏよりも上方に位置していることにより、各把持部４２，４４を把持する際に、自動洗浄ユニット４のスプレッダ２６と各把持部４２，４４とが互いに干渉して把持の妨げになることを防ぐことができるため、各把持部４２，４４を把持しやすくすることができる。
したがって、各把持部４２，４４を把持した状態では、便器本体２を左右方向に安定して把持しながら、壁面Ｗに移動させることができるため、便器本体２の取り付け作業を安定して確実に行うことができる。
これらの結果、施工時に容易に持ち運ぶことができると共に、設置状態の美観性を確保することができる小便器１を提供することができる。
【００３５】
また、本実施形態による小便器１によれば、各把持部４２，４４について、上蓋１０が取り外された状態でスプレッダ２６の上方が開放されるように便器本体２の正面側壁部７の背面７ａに沿って便器本体２の左右方向に間隔Ｓを置いて複数設けられていることにより、各把持部４２，４４を把持する際に、自動洗浄ユニット４のスプレッダ２６と各把持部４２，４４とが互いに干渉して把持の妨げになることをより確実に防ぐことができるため、各把持部４２，４４を把持しやすくすることができる。
したがって、各把持部４２，４４を把持した状態では、便器本体２を左右方向に安定して把持しながら、壁面Ｗに移動させることができるため、便器本体２の取り付け作業を安定して確実に行うことができる。
これらの結果、施工時に容易に持ち運ぶことができると共に、設置状態の美観性を確保することができる小便器１を提供することができる。
【００３６】
さらに、本実施形態による小便器１によれば、複数の把持部４２，４４が平面視において便器本体２の正面側壁部７の背面７ａの左右方向の中心に対して対称に配置されていることにより、小便器１が設置される壁面Ｗの壁受部Ｐに便器本体２を取り付ける際に、便器本体２の左右の複数の把持部４２，４４を把持する把持力を各把持部４２，４４に分散させて安定して把持することができる。
したがって、各把持部４２，４４を把持した状態では、便器本体２を安定して移動させることができるため、便器本体２の取り付け作業を安定して確実に行うことができる。
これらの結果、施工時に容易に持ち運ぶことができると共に、設置状態の美観性を確保することができる小便器１を提供することができる。
【００３７】
また、本実施形態による小便器１によれば、各把持部４２，４４の各上端面４２ａ，４４ａと便器本体２の各側壁部３２，３４の各上端面３２ａ，３４ａが、上蓋１０が上方から着脱可能に取り付けられるような高さに位置しているため、小便器１が設置される壁面Ｗの壁受部Ｐに便器本体２を取り付ける際に、上蓋１０を取り外すだけで、各把持部４２，４４を簡単且つ確実に把持することができる。
したがって、各把持部４２，４４を把持した状態で便器本体２の全体を壁面Ｗに安定して移動させて、便器本体２の各背面側取付部３８，４０を壁受部Ｐの各バックハンガー４６に簡単且つ確実に取り付けることができ、小便器１を壁面Ｗに簡単に設置することができる。
また、小便器１が壁面Ｗに設置された状態では、各把持部４２，４４と便器本体２の各側壁部３２，３４のそれぞれの面一の上端面３２ａ，３４ａ，４２ａ，４４ａに上蓋１０を安定して取り付けることができ、各把持部４２，４４を上蓋１０によって便器本体２の外部から隠蔽することができる。
さらに、上蓋１０を各把持部４２，４４と便器本体２の各側壁部３２，３４のそれぞれの面一の３２ａ，３４ａ，４２ａ，４４ａに取り付けた状態では、上蓋１０の上面１０ａが便器本体２の正面側壁部７の上端面７ｂとほぼ同じ高さとなるため、小便器１の美観性が損なわれることを防ぐこともできる。
これらの結果、施工時に容易に持ち運ぶことができると共に、設置状態の美観性を確保することができる小便器１を提供することができる。
【００３８】
さらに、本実施形態による小便器１によれば、収納室Ｃが便器本体２の背面側取付部３８，４０よりも正面側且つ上方に位置しているため、便器本体２の各背面側取付部３８，４０が壁受部Ｐの各バックハンガー４６に取り付けられて小便器１が壁面Ｗに設置された状態であっても、上蓋１０を取り外した状態では、便器本体２の正面側且つ上方から収納室Ｃ内の自動洗浄ユニット４に容易にアクセスすることができ、自動洗浄ユニット４のメンテナンス作業等を容易に行うこともできる。
【００３９】
また、本実施形態による小便器１によれば、小便器１が設置される壁面Ｗの壁受部Ｐが、その壁面Ｗから前方側且つ上方側にフック状に突出するバックハンガー４６を備えているため、小便器１が設置される壁面Ｗの壁受部Ｐに便器本体２を取り付ける際に、各把持部４２，４４を把持した状態で、壁受部Ｐの各バックハンガー４６の位置を上方から容易に確認することができる。
また、各把持部４２，４４を把持しながら、便器本体２の位置を調整することにより、先に確認した壁受部Ｐの各バックハンガー４６の位置に便器本体２の各背面側取付部３８，４０の各嵌合凹部３８ａ，４０ａの位置を調整して、容易に位置合わせをすることができる。
さらに、壁受部Ｐの各バックハンガー４６の位置と便器本体２の各背面側取付部３８，４０の各嵌合凹部３８ａ，４０ａの位置を合わせた状態では、便器本体２を下降させるだけで、便器本体２の各背面側取付部３８，４０の各嵌合凹部３８ａ，４０ａに、壁受部Ｐの各バックハンガー４６が背面側且つ下方側から挿入され、各嵌合凹部３８ａ，４０ａと各バックハンガー４６とが互いに嵌合することができるため、便器本体２の各背面側取付部３８，４０の各嵌合凹部３８ａ，４０ａを壁受部Ｐの各バックハンガー４６に係合させて容易に引っ掛けることができ、便器本体２の各背面側取付部３８，４０の各嵌合凹部３８ａ，４０ａを壁受部Ｐの各バックハンガー４６に簡単且つ確実に取り付けることができる。
また、便器本体２の各背面側取付部３８，４０の各嵌合凹部３８ａ，４０ａを壁受部Ｐの各バックハンガー４６に引っ掛けた後、各把持部４２，４４の把持を解除すると、陶器製の便器本体２の自重で便器本体２の各背面側取付部３８，４０の各嵌合凹部３８ａ，４０ａと壁受部Ｐの各バックハンガー４６との互いの嵌合が強化されるため、便器本体２を壁面Ｗに確実に固定することができ、小便器１を壁面Ｗに簡単に設置することができる。
これらの結果、施工時に容易に持ち運ぶことができると共に、設置状態の美観性を確保することができる小便器１を提供することができる。
【符号の説明】
【００４０】
１    小便器
２    便器本体
４    自動洗浄ユニット（機能部）
６    ボウル部
６ａ  ボウル面
６ｂ  ボウル面下部
７    正面側壁部
７ａ  正面側壁部の背面
７ｂ  正面側壁部の上端面
８    排水口部
８ａ  排水口
１０    上蓋（蓋体）
１０ａ  上蓋の上面
１２    排水トラップ部
１２ａ  下降管路
１２ｂ  横引き管路
１２ｃ  上昇管路
１３    目皿
１４    排水ソケット
１６    排水配管
１８    接続部
２０    給水管
２０ａ  給水管の先端部
２２    止水栓
２４    給水バルブ
２６    スプレッダ
２８    人体検知センサ
３０    コントローラ
３２    側壁部
３２ａ  側壁部の上端面
３４    側壁部
３４ａ  側壁部の上端面
３６    背面側壁部
３６ａ  背面側壁部の背面
３８    背面側取付部
３８ａ  背面側取付部の嵌合凹部
４０    背面側取付部
４０ａ  背面側取付部の嵌合凹部
４２    把持部
４２ａ  把持部の上端面
４４    把持部
４４ａ  把持部の上端面
４６    バックハンガー（突出部）
Ａ    便器本体の重心に対して鉛直方向に延びる軸線
Ｃ    収納室（収納部）
Ｆ    床面
Ｏ    スプレッダの中心
Ｐ    壁受部
Ｓ    間隔
Ｗ    壁面
ｗ０  溜水
【図１】
0006566186.tif 000002
【図２】
0006566186.tif 000003
【図３】
0006566186.tif 000004
【図４】
0006566186.tif 000005
【図５】
0006566186.tif 000006
【図６】
0006566186.tif 000007